(57)【要約】【課題】ＳＩＰを利用して画像データを送受信する画像通信装置同士が通信中に任意の文字列を送受信してその文字列の内容をユーザに知らせることを可能とする画像通信装置を提供すること。【解決手段】入力手段により入力された文字列を「ＩＮＶＩＴＥ」の中のメディアセッションの確立に影響を及ぼさない箇所であるＳＤＰヘッダＭ２の「ｓ」フィールドに記述し、これを相手先１Ｂへ送信する発呼側画像通信装置１Ａ。発呼側画像通信装置１Ａから受信した「ＩＮＶＩＴＥ」の中のＳＤＰヘッダＭ２の「ｓ」フィールドに記述された文字列を抽出し、これを表示部１１に表示する被呼側画像通信装置１Ｂ。【選択図】図２
2006237770.tif 000002
【特許請求の範囲】
【請求項１】
相手先と呼制御プロトコルのメッセージをやり取りすることによりメディアセッションを確立して画像データを送信する画像通信装置において、任意の文字列を入力する入力手段と、前記入力された文字列をメディアセッションの確立を要求するメッセージの中でメディアセッションの確立に影響を及ぼさない所定箇所に記述する記述手段と、前記文字列が記述された前記メッセージを相手先へ送信する送信手段と、を備えることを特徴とする画像通信装置。
【請求項２】
前記所定箇所に記述された文字列を通信履歴情報として保存する手段を更に備えることを特徴とする請求項１記載の画像通信装置。
【請求項３】
相手先と呼制御プロトコルのメッセージをやり取りすることによりメディアセッションを確立して画像データを受信する画像通信装置において、相手先から受信したメディアセッションの確立を要求するメッセージの中でメディアセッションの確立に影響を及ぼさない所定箇所に記述された文字列を抽出する抽出手段と、抽出した文字列を出力する出力手段と、を備えることを特徴とする画像通信装置。
【請求項４】
前記所定箇所に記述された文字列を通信履歴情報として保存する手段を更に備えることを特徴とする請求項３記載の画像通信装置。
【発明の詳細な説明】
【技術分野】
【０００１】
本発明は、ＳＩＰ（Session  Initiation  Protocol）等の呼制御プロトコルを利用して、画像データの送受信を行う画像通信装置に関する。
【背景技術】
【０００２】
近年、ＳＩＰによりメディアセッションを確立して、画像データの送受信を行うＩＰファクシミリ装置が提案されている（例えば、特許文献１乃至３参照。）。かかるＩＰファクシミリ装置では、Ｇ３ファクシミリ装置と同様に宛先情報を電話番号にて指定することができるので、ユーザはＧ３ファクシミリ装置と同様の感覚で送信操作を行うことができる。併せて、Ｇ３ファクシミリより通信コストが節減されるという利点がある。
【特許文献１】特開２００４−１７２８５３号公報
【特許文献２】特開２００４−２２１９４５号公報
【特許文献３】特開２００４−２６０５３５号公報
【発明の開示】
【発明が解決しようとする課題】
【０００３】
ファクシミリ通信においては、受信側のユーザは、着信音、着信表示等によって着信があった時を認識することができるが、受信中の原稿の内容については、受信処理が完了し、記録用紙等にそれが印字出力されるまで、全く内容の情報が得られないという不便がある。特に、５０頁、１００頁などの多頁からなる原稿を受信している最中は、一体どのような内容の原稿を受信しているのか気になるものである。また、頁数が多いと受信データを印字出力して記録用紙の無駄な消費とならないか心配になることもある。
【０００４】
通信中に原稿に関する情報、例えば原稿のタイトル、頁数、送信者などの情報が受信側装置の表示部に表示されれば上記不便は解消するが、ＳＩＰ等の呼制御プロトコルを利用したＩＰファクシミリ装置では未だそのような機能は提案されていない。
【０００５】
本発明は、かかる事情に鑑みてなされたものであり、ＳＩＰ等の呼制御プロトコルを利用したＩＰファクシミリ装置等の画像通信装置同士が通信中に任意の文字列を送受信してその文字列の内容をユーザに知らせることを可能とする画像通信装置を提供することを目的とする。
【課題を解決するための手段】
【０００６】
請求項１記載の画像通信装置は、相手先と呼制御プロトコルのメッセージをやり取りすることによりメディアセッションを確立して画像データを送信する画像通信装置において、任意の文字列を入力する入力手段と、前記入力された文字列をメディアセッションの確立を要求するメッセージの中でメディアセッションの確立に影響を及ぼさない所定箇所に記述する記述手段と、前記文字列が記述された前記メッセージを相手先へ送信する送信手段と、を備えることを特徴としている。
【０００７】
請求項２記載の画像通信装置は、請求項１記載の画像通信装置において、前記所定箇所に記述された文字列を通信履歴情報として保存する手段を更に備えることを特徴としている。
【０００８】
請求項３記載の画像通信装置は、相手先と呼制御プロトコルのメッセージをやり取りすることによりメディアセッションを確立して画像データを受信する画像通信装置において、相手先から受信したメディアセッションの確立を要求するメッセージの中でメディアセッションの確立に影響を及ぼさない所定箇所に記述された文字列を抽出する抽出手段と、抽出した文字列を出力する出力手段と、を備えることを特徴としている。
【０００９】
請求項４記載の画像通信装置は、請求項３記載の画像通信装置において、前記所定箇所に記述された文字列を通信履歴情報として保存する手段を更に備えることを特徴としている。
【発明の効果】
【００１０】
請求項１記載の画像通信装置を発呼側、請求項３記載の画像通信装置を被呼側として互いに画像データの送受信を行う際に、任意の文字列が発呼側から被呼側へ送信され当該文字列が被呼側で出力されることとなる。したがって、発呼側装置において原稿に関する情報が入力されれば、被呼側装置のユーザは、原稿の受信途中であっても出力された文字列から原稿に関する情報を知ることができる。
【００１１】
請求項３記載の画像通信装置を発呼側、請求項４記載の画像通信装置を被呼側として互いに画像データの送受信を行うことにより、原稿の画像データの送受信が行われた後、発呼側から被呼側へ送信された文字列が当該原稿の通信履歴情報として双方の装置で保存される。例えば、発呼側装置において送受信する原稿に関する情報が入力されれば、後々、通信履歴情報として保存された文字列（原稿に関する情報）を利用して各種原稿についての通信履歴の管理の容易化が図られる。
【発明を実施するための最良の形態】
【００１２】
以下、本発明の実施の形態に係る画像通信装置として複合機型のファクシミリ装置を例に挙げて説明する。この複合機型のファクシミリ装置は、呼制御プロトコルを利用して原稿の画像データの送受信を行うＩＰファクシミリ通信機能、公衆交換電話網を通じて画像データの送受信を行うＧ３方式等のファクシミリ通信機能等を備えている。また、クライアント装置からの要求に応じてＩＰファクシミリ通信、Ｇ３ファクシミリ通信等の通信サービスを提供するファクシミリサーバ機能も備えている。
【００１３】
図１に本発明の実施の形態に係るファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１４】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、操作部１２の操作により入力されて登録された文字列や通信履歴情報が格納されている。ここで、通信履歴情報は、ファクシミリ装置１が行った通信に関する情報であり、例えば通信時刻、通信時間、相手先電話番号、後述する文字列、通信エラー情報等である。画像メモリ５は、コーデック８によって圧縮符号化された画像データ等を記憶する。画像メモリ５は、ファクシミリ装置１が受信画像データを蓄積する。
【００１５】
モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３方式等によるファクシミリ送受信時にモデム６をＰＳＴＮ１５と接続する。コーデック８は、ファクシミリ送信等に際して、画像データを圧縮符号化し、また、受信した画像データ等を復号する。
【００１６】
読取部９は、原稿の画像データを読取るものであり、例えば、ＣＣＤカラーラインイメージセンサ、Ａ／Ｄコンバータ、画像処理回路等で構成される。記録部１０は、給紙カセットから記録用紙を取り出して、画像データを記録用紙上に記録する。
【００１７】
表示部１１は、例えば操作部１２に並設されたＬＣＤ（Ｌｉｑｕｉｄ  Ｃｒｙｓｔａｌ  Ｄｉｓｐｌａｙ）からなり、各種の画面情報や文字列を表示出力する。操作部１２は、スタートキー、文字入力キー、ファンクションキーなど各種の操作キーを具備し、ユーザによる各種の操作は、この操作部１２において行われる。操作部１２は、文字列の入力手段としても機能する。なお、文字列は、平仮名、漢字、カタカナ、英字などに限定されず、数字、記号などのようにテキストコードとなり得るものは全て文字列に該当する。
【００１８】
ＬＡＮインタフェース１４は、ファクシミリ装置１とＬＡＮ（ローカルエリアネットワーク）１６とを接続するインターフェースであり、これを通じてファクシミリ装置１は、同じくＬＡＮ１６に接続された他の装置と画像データの送受信を行う。図２に示すように、ＬＡＮ１６にはルータ１７のほか、クライアントＰＣ１８、他のファクシミリ装置１等が接続されている。ファクシミリ装置１は、同じＬＡＮ１６に接続された他のファクシミリ装置１やＬＡＮ１６外に接続された他のファクシミリ装置１とＩＰファクシミリ通信を行うことができる。
【００１９】
上記構成を備えるファクシミリ装置１は、ＴＣＰ／ＩＰ（Transmission  Control  Protocol/Internet  Protocol）、ＳＩＰ、ＲＴＰ（Real-time  Transport  Protocol）、ＳＤＰ（Session  Description  Protocol）などを実装することにより、ＳＩＰによりメディアセッションを確立した上で画像データを相手先と送受信する機能を実現する。なお、本実施の形態では呼制御プロトコルとしてＳＩＰを例に挙げて説明するが、メディアセッションを確立するのに先立ってメッセージをやり取りするものであれば、ＳＩＰ以外の呼制御プロトコルを適用することも可能である。
【００２０】
ファクシミリ装置１では、ＳＩＰを利用して画像データを送信するための操作が操作部８やクライアントＰＣ１８で行われる際、任意の文字列を入力又は予め入力された文字を選択できるようになっている。ここで入力又は選択された文字列は、表示部１１に表示される。また、前記入力又は選択された文字列は、ＳＩＰの要求メッセージ「ＩＮＶＩＴＥ」内のメディアセッションの確立に影響を及ぼさない所定箇所に記述され、相手先へ送信されるようになっている。メディアセッションの確立に影響を及ぼさない所定箇所は、そこに任意の文字列を記述してもメディアセッションを確立するための呼制御に影響を与えず、且つ、確立されるメディアセッションの内容（メディアタイプ、コーデックタイプ、通信ポート番号等）にも影響を与えない箇所である。例えば、ＳＤＰヘッダの中の「ｓ」フィールド、「ｖ」フィールド、「ｔ」フィールドなどがこれ該当する。
【００２１】
一方、相手先ファクシミリ装置１は、発呼側ファクシミリ装置１から受信した「ＩＮＶＩＴＥ」内の前記所定箇所に文字列が記述されているか否かを判別し、文字列が記述されている場合には、それを抽出して表示部１１に出力表示するようになっている。
【００２２】
以下、上記ファクシミリ装置１同士がＳＩＰのシグナリングメッセージをやり取りし、メディアセッションを確立して画像データを送受信する際に実行される処理動作について図２及び図５のシーケンス図並びに図３及び図４のフローチャートに基づいて説明する。なお、これらの図面に基づいて説明するファクシミリ装置１の処理動作はＲＯＭ３に格納されている制御プログラムに基づきＣＰＵ２が発行する命令に従って実行される。
【００２３】
以下、説明の便宜のため、発呼側となるファクシミリ装置１を発呼側装置１Ａ、被呼側となるファクシミリ装置１を被呼側装置１Ｂという。なお、クライアントＰＣ１８においてファクシミリ送信操作を行う場合は、ファクシミリ装置１の操作部１２はクライアントＰＣ１８の操作部、ファクシミリ装置１の表示部１１はクライアントＰＣ１８の表示部に相当する。
【００２４】
ファクシミリ装置１は、ＳＩＰを利用した画像データの送信指示操作とともに、送信すべき任意の文字列の入力を受付ける。文字列の入力は、操作部８での入力操作を通じて行われる。また、ファクシミリ装置１は、予め操作部８やクライアントＰＣ１８から入力された文字列をＲＡＭ４等の記憶部に登録することができるようになっており、予め入力され登録された文字列を送信指示操作時に表示部１１に表示させて何れかを送信すべき文字列として選択することができるようになっている。
【００２５】
ファクシミリ装置１においてＳＩＰを利用した画像データの送信指示操作及び、ユーザの必要に応じて、任意の文字列の入力操作又は前記文字列の選択操作があると（Ｓ１）、メディアセッションの確立を要求する要求メッセージ「ＩＮＶＩＴＥ」が生成される（Ｓ２）。図２に示すように、この要求メッセージＭは、ＳＩＰヘッダＭ１とＳＤＰヘッダＭ２で構成される。Ｓ１で送信すべき文字列の入力操作又は選択操作がなされていた場合には（Ｓ３：ＹＥＳ）、送信すべきものとして指定された文字列が「ＩＮＶＩＴＥ」の所定箇所に記述され（Ｓ４）、さらにその文字列は、発呼側装置１Ａの表示部１１に出力されてその内容が通信中に表示される（Ｓ５）。本実施の形態においては、図２に示すように、ＳＤＰヘッダの中でメディアセッションの確立に影響を及ぼさない箇所（ＳＩＰサーバが関与しない箇所でもある。）である「ｓ」フィールドに記述されるようになっている。勿論、メディアセッションの確立に影響を及ぼさない箇所であれば、記述される箇所は「ｓ」フィールドに限定されず、ＳＤＰヘッダの中のその他のフィールドやＳＩＰヘッダの中であってもよい。
【００２６】
Ｓ１において文字列の入力操作及び選択操作がなかった場合は（Ｓ３：ＮＯ）、Ｓ４の記述処理及びＳ５の出力処理を行わずにその次の手順に移行する。
【００２７】
発呼側装置１Ａは、Ｓ２で生成した「ＩＮＶＩＴＥ」又は該「ＩＮＶＩＴＥ」にＳ４で「ｓ」フィールドに任意の文字列を記述したものを相手先へ送信する（Ｓ６、Ｔ１）。発呼側装置１Ａは、相手先である被呼側装置１Ｂから「ＩＮＶＩＴＥ」に対する成功応答メッセージを受信することなく、エラーメッセージを受信した場合は（Ｓ７：ＮＯ）、所定の発呼エラー処理を行う（Ｓ１０）。例えば、通信エラー情報を通信履歴情報に記録したり、受信したエラーメッセージを表示部１１に表示し、或いは、記録部１０において前記エラーメッセージをプリントアウトする。
【００２８】
一方、被呼側装置１Ｂは、Ｓ６で発呼側装置１Ａから送出された「ＩＮＶＩＴＥ」を受信すると（Ｓ１０１：ＹＥＳ）、受信した「ＩＮＶＩＴＥ」の中のＳＤＰヘッダの中でメディアセッションの確立に影響を及ぼさない所定箇所である、「ｓ」フィールドに文字列が記述されているか否かを判断する（Ｓ１０２）。「ｓ」フィールドに、例えば図２に示すように「Ｗｅｅｋｌｙ  Ｓｔａｔｕｓ  Ｒｅｐｏｒｔ  Ｎｏ．１１０」等の文字列が記述されている場合は（Ｓ１０２：ＹＥＳ）、その文字列を抽出して表示部１１へ出力して表示する（Ｓ１０３）。これにより被呼側装置１Ｂのユーザは、発呼側装置１Ａのユーザが入力した文字列により、例えば通信中の原稿に関する情報を把握することができる。
【００２９】
次いで、被呼側装置１Ｂは、受信した「ＩＮＶＩＴＥ」に対する成功応答メッセージ「２００  ＯＫ」を生成し（Ｓ１０４）、これを発呼側装置１Ａへ送信する（Ｓ１０５）。その後、被呼側装置１Ｂは、発呼側装置１Ａから最終レスポンスの確認応答「ＡＣＫ」を受信することなく、エラーメッセージを受信した場合は（Ｓ１０６：ＮＯ）、所定の応答エラー処理を行う（Ｓ１０７）。例えば、応答エラー情報を通信履歴情報に記録したり、その旨の情報を表示部１１に表示し、或いは、記録部１０においてその旨の情報をプリントアウトする。
【００３０】
発呼側装置１Ａは、被呼側装置１ＢがＳ１０５で送信した成功応答メッセージ「２００  ＯＫ」を受信した場合は（Ｓ７：ＹＥＳ、Ｔ２）、最終レスポンス確認応答「ＡＣＫ」を被呼側装置１Ｂへ送信し、これが被呼側装置１Ｂによって受信される（Ｔ３、Ｓ１０６：ＹＥＳ）。その後、発呼側装置１Ａと被呼側装置１Ｂの間でメディアセッションが確立され（Ｓ９、Ｓ１０８）、画像データ等のデータ通信が開始される（Ｓ１０、Ｓ１０９）。データ通信が完了した後は、発呼側装置１Ａから被呼側装置１Ｂへセッションの終了要求メッセージ「ＢＹＥ」が送信され（Ｔ４）、被呼側装置１Ｂから発呼側装置１Ａへ応答メッセージ「２００  ＯＫ」が返信された後（Ｔ５）、メディアセッションが切断される。
【００３１】
発呼側装置１Ａは、「ＢＹＥ」を送信して「２００  ＯＫ」を受信したとき、データ通信処理が完了したものとみなして（Ｓ１１：ＹＥＳ）、表示部１１への文字列の出力を終了する（Ｓ１２）。そして、発呼側装置１Ａは、「ＩＮＶＩＴＥ」に記述して相手先に送信した文字列を通信履歴情報として記録保存する（Ｓ１３）。
【００３２】
一方、被呼側装置１Ｂは、「ＢＹＥ」を受信して「２００  ＯＫ」を送信したとき、データ通信処理が完了したものとみなして（Ｓ１１０：ＹＥＳ）、表示部１１への文字列の出力を終了する（Ｓ１１１）。そして、被呼側装置１Ｂは、「ＩＮＶＩＴＥ」の「ｓ」フィールドから抽出した文字列を通信履歴情報として記録保存する（Ｓ１１２）。
【００３３】
ところで、両装置１Ａ、１Ｂの間でメディアセションが確立され、その上でデータ通信処理が行われているときに、発呼側装置１Ａにおいて更に任意の文字列の入力操作又は登録された文字列の選択操作がなされると、発呼側装置１Ａは、当該操作を文字列の再送信指示として受付ける（Ｓ１４：ＹＥＳ）。そして、図５に示すように、任意の文字列を相手先へ送信することができるＳＩＰのリクエストメッセージＭ’、例えばＳＩＰメソッド「ＭＥＳＳＡＧＥ」により前記入力操作又は前記選択操作により指定された文字列を被呼側装置１Ｂへ送信する（Ｓ１５、Ｔ１０１）。また、発呼側装置１Ａの表示部１１に出力中の文字列に替えてＳ１５で「ＭＥＳＳＡＧＥ」により送信した文字列を表示部１１に出力して表示する（Ｓ１６）。そして、処理をＳ１１に戻し、データ通信処理が完了すると（Ｓ１１：ＹＥＳ）、文字列の表示出力を終了した後（Ｓ１２）、通信履歴情報に最後に相手先に送信した文字列を通信履歴情報として記録保存する（Ｓ１３）。最後に相手先へ送信した文字列とは、「ＭＥＳＳＡＧＥ」を送信しなかった場合は、「ＩＮＶＩＴＥ」のＳＤＰヘッダの「ｓ」フィールドに記述して相手先へ送信した文字列であり、データ通信中に「ＭＥＳＳＡＧＥ」を送信した場合には、最後に送信した「ＭＥＳＳＡＧＥ」のメッセージボディに記述した文字列である。
【００３４】
一方、被呼側装置１Ｂにおいては、データ通信処理中に「ＭＥＳＳＡＧＥ」を受信すると（Ｓ１１３：ＹＥＳ）、表示部１１に出力中の文字列に替えて「ＭＥＳＳＡＧＥ」により受信した文字列（メッセージボディに記載されている文字列）を表示部１１に出力して表示する（Ｓ１１４）。そして、データ通信処理が完了すると（Ｓ１１０：ＹＥＳ）、文字列の表示出力を終了した後（Ｓ１１１）、通信履歴情報に最後に相手先から受信した文字列を通信履歴情報として記録保存する（Ｓ１１３）。ここで、最後に相手先から受信した文字列とは、「ＭＥＳＳＡＧＥ」を受信しなかった場合は、「ＩＮＶＩＴＥ」のＳＤＰヘッダの「ｓ」フィールドに記述された文字列であり、データ通信中に「ＭＥＳＳＡＧＥ」を受信した場合には、最後に受信した「ＭＥＳＳＡＧＥ」のメッセージボディに記述されている文字列である。このように、本発明の実施の形態に係るファクシミリ装置１によれば、相手先に送信し、相手先で出力中の文字列をそのメディアセッションが確立されている間であっても変更することができる。しかも、メディアセッションが確立されている間は何度でも文字列の内容を変更することができる。
【００３５】
なお、本発明の実施の形態では、Ｓ５、Ｓ１６、Ｓ１０３、Ｓ１１４における文字列の出力形態として表示部１１への出力を例に挙げて説明したが、出力形態は、ユーザに文字列の内容を知らせることができればよく、表示部１０への出力に限定されない。例えば文字列を記録部１０へ出力してプリントアウトしたり、文字列の内容を音声データに変換する手段を持たせて、発音手段により音声により通知するようにしてもよい。また、ファクシミリ装置１以外の装置に出力するようにしてもよい。印字出力のように出力状態が継続しないようなものは、再出力を行うようにする。
【００３６】
また、Ｓ１３、Ｓ１１２においては、最後に送受信された文字列を通信履歴情報として記録保存するようになっているが、発呼側装置１Ａと被呼側装置１Ｂの間で、やり取りした全ての文字列を記録するようにしてもよい。
【００３７】
以上の説明から明らかなように、本発明の実施の形態に係るファクシミリ装置１によれば、ＳＩＰによりメディアセッションを確立して相手先と画像データのデータ通信を行う際に当該メディアセッションとは別個独立に任意の文字列の送受信を行い、その文字列を発呼側装置１Ａと被呼側装置１Ｂの表示部１１に表示させることができる。例えば、文字列として通信原稿に関する情報が発呼側において入力されれば、双方装置のユーザは、通信中に表示部１１に表示される文字列を見て現在通信中の原稿に関する情報を把握することができる。また、発呼側装置のユーザが定期的に顧客に定期刊行物等をファクシミリ送信する場合は、刊行物番号（例えば図５のＳＤＰヘッダＭ２の「ｓ」フィールドや「ＭＥＳＳＡＧＥ」のメッセージボディＭ’１に記述されている文字列の「Ｎｏ．１１０」、「Ｎｏ．２００」等）を文字列として入力すれば、入力された刊行物番号は、顧客の被呼側装置１Ｂの受信履歴情報として記録保存される。これにより、顧客はその受信履歴情報を参照することで定期刊行物の原稿が毎週漏れなく受信されているか等を容易に把握することができる。
【産業上の利用可能性】
【００３８】
本発明は、例えば、ＳＩＰにより確立したメディアセッションで画像データを送受信する画像通信装置に適用することができる。
【図面の簡単な説明】
【００３９】
【図１】本発明の実施の形態に係るファクシミリ装置（画像通信装置）の構成例等を示した図である。
【図２】発呼側装置と被呼側装置の間で形成される通信手順を示したシーケンス図である。
【図３】本発明の実施の形態に係る発呼側装置（画像通信装置）においてＳＩＰを利用した画像データの送信指示があった場合に発呼側装置が実行する処理動作を示したフローチャートである。
【図４】本発明の実施の形態に係る被呼側装置（画像通信装置）においてメディアセッションの確立を要求するメッセージを受信した場合に被呼側装置が実行する処理動作を示したフローチャートである。
【図５】発呼側装置と被呼側装置の間で形成される通信手順を示したシーケンス図であって、画像データ等のデータ通信中に任意の文字列のやり取りが行われる場合の通信手順を示した図である。
【符号の説明】
【００４０】
１、１Ａ、１Ｂ    ファクシミリ装置（画像通信装置）
２    ＣＰＵ
３    ＲＯＭ
４    ＲＡＭ
Ｍ    メディアセッションの確立を要求するメッセージ
【図１】
2006237770.tif 000003
【図２】
2006237770.tif 000004
【図３】
2006237770.tif 000005
【図４】
2006237770.tif 000006
【図５】
2006237770.tif 000007